(57)【要約】【課題】従来に比べ構成部品数を少なくし、かつ外周カバーを外すことなくインジケーターを容易に移動させて所定（または所望）の圧力値または適正圧力範囲を指示でき、さらに各種の振動や外力によっても位置ズレすることなくインジケーターの停止状態を保持できる、圧力計の圧力表示機構を提供することにある。【解決手段】圧力表示板３の所望の圧力値を指示するインジケーター４を、圧力表示板３の前方に設けた円形状透明カバー５の外周に沿って移動可能に設けた圧力計において、透明カバー５は外周縁近傍に沿って形成した係合溝８を有し、インジケーター４は透明カバー５の係合溝８に摺動自在に係合する係合部１５と、透明カバー５を介して圧力表示板３の所望の圧力値を指示する指針部１６と、透明カバー５の係合溝８内の周壁面に適宜強さで接触させてインジケーター４を移動可能に所望箇所で停止保持できる弾発部１７と、を有している構成である。【選択図】  図1
0003120394.tif 000002
【実用新案登録請求の範囲】
【請求項１】
圧力計本体内に設けた圧力表示板の所望の圧力値を指示するインジケーターを、上記圧力表示板の前方に設けた円形状透明カバーの外周に沿って移動可能なように設けてなる圧力計の圧力表示機構において、
上記透明カバーは外周縁近傍に沿って形成した係合溝を有し、
上記インジケーターは上記透明カバーの係合溝に摺動自在に係合する係合部と、上記透明カバーを介して上記圧力表示板の所望の圧力値を指示する指針部と、透明カバーの係合溝内の周壁面に適宜強さで接触させてインジケーターを移動可能に所望箇所で停止保持させる弾発部と、を有していることを特徴とする圧力計の圧力表示機構。
【請求項２】
上記インジケーターは1対の対称形状のものであって、各インジケーターの係合部を上記透明カバーの係合溝に摺動自在に設けて、両インジケーターの指針部で適正圧力範囲を表示できるようにしたことを特徴とする請求項1記載の圧力計の圧力表示機構。
【請求項３】
上記円形状透明カバーの係合溝の内側の面に微細な凹凸を設けたことを特徴とする請求項1または２記載の圧力計の圧力表示機構。
【考案の詳細な説明】
【技術分野】
【０００１】
この考案は、各種の流体の圧力を検出するのに用いられる圧力計の圧力表示機構に関するものである。
【背景技術】
【０００２】
圧力計は、空気や作動油等の流体を圧力源とする各種の産業機械や機械器具等に設置され、圧力源並びに圧力源から供給される流体圧力が適正に設定されているか、または圧力源並びに圧力源から供給される流体圧力が予め設定された所定の適正圧力範囲内にあるか否かを、インジケーターの指針が示す圧力表示板の圧力値、または圧力値範囲を視認することによって確認できるようにしてある。
【０００３】
そして従来の圧力計に組み込まれた上記した適正圧力範囲を示す適正圧設定表示装置としては、例えば特開平07-049248号公報、特開平10-274550号公報等に開示の装置がある。
【０００４】
上記した特開平07-049248号公報(考案の名称；圧力計に於ける適正圧設定表示装置)に開示の装置は、圧力計本体の表面側の器筺外周に沿って弾性を有するリングを配設し、このリングに移動可能にして１又は２以上の設定圧範囲表示用の設定針を備え、このリングを器筺の表面側に嵌合するカバーリングにて支持した構成の装置である。
【０００５】
また、上記した特開平10-274550号公報(考案の名称；圧力計における適正圧設定表示装置)に開示の装置は、設定圧範囲表示用の設定針を移動可能に配設した圧力計における設定圧範囲表示装置において、圧力計の器筺とカバーリングとによって挟持される透明板の外周部の表面側に、内周面に凹凸を形成した突縁を突設し、該突縁の内周面に沿って弾性を有するＣ字状のリング部材を装着し、透明板の突縁の内周面に形成した凹凸に嵌合する係止部を形成した設定針をリング部材に沿って移動可能に配設した装置である。
【０００６】
上記した特開平07-049248号公報に開示の装置は、設定圧範囲表示用の設定針に穴や溝を形成して弾性を有するリングを通し、リングに対して上記設定針を移動可能なようにした構成であるため、設定針はリング上を自由に移動できる。そこで圧力計に組み込んだ場合に上記リングのガイドリング側への弾発付勢によって、ガイドリングに接触する設定針の移動を適度に防止できるようにしてある。しかし、ガイドリングと設定針との接触状態は微妙であり、設定針を移動させる際に重かったり軽かったりする懸念がある。また、個々の設定針のガイドリングに対する接触強さの微妙な調整は困難である。
【０００７】
また、上記特開平10-274550号公報に開示の装置は、圧力計が振動を受けたり、設定針に作業者等が接触したりしても、設定針が容易に移動しないように、透明板の突縁の内周面に連続する凹凸を形成し、この凹凸に嵌合する係止部を設定針に形成したものであるので、確かに振動等による設定針の移動防止には効果を発揮すると考えられるが、設定針を移動させる場合、上記凹凸のピッチごとの移動になり、設定針による圧力値の微妙な設定(指示)が困難である。
【考案の開示】
【考案が解決しようとする課題】
【０００８】
本考案は従来の問題点に鑑みて開発されたものであり、その目的は、従来に比べ構成部品数を少なくし、かつ外周カバーを外すことなくインジケーターを容易に移動させて所定（または所望）の圧力値または適正圧力範囲を指示でき、さらに各種の振動や外力によっても位置ズレすることなくインジケーターの停止状態を保持できる、圧力計の圧力表示機構を提供することにある。
【課題を解決するための手段】
【０００９】
本考案は上記した目的を有効に達成するために、次のような構成の圧力計の圧力表示機構にしてある。すなわち、請求項１に記載の本考案は、圧力計本体内に設けた圧力表示板の所望の圧力値を指示するインジケーターを、上記圧力表示板の前方に設けた円形状透明カバーの外周に沿って移動可能なように設けてなる圧力計の圧力表示機構において、上記透明カバーは外周縁近傍に沿って形成した係合溝を有し、上記インジケーターは上記透明カバーの係合溝に摺動自在に係合する係合部と、上記透明カバーを介して上記圧力表示板の所望の圧力値を指示する指針部と、透明カバーの係合溝内の周壁面に適宜強さで接触させてインジケーターを移動可能に所望箇所で停止保持させる弾発部と、を有していることを特徴とする圧力計の圧力表示機構である。
【００１０】
請求項２に記載の本考案は、上記インジケーターは1対の対称形状のものであって、各インジケーターの係合部を上記透明カバーの係合溝に摺動自在に設けて、両インジケーターの指針部で適正圧力範囲を表示できるようにしたことを特徴とする請求項1記載の圧力計の圧力表示機構である。
【００１１】
請求項３に記載の本考案は、上記円形状透明カバーの係合溝の内側の面に微細な凹凸を設けたことを特徴とする請求項1または２記載の圧力計の圧力表示機構である。
【考案の効果】
【００１２】
上記した請求項１に記載の本考案では、透明カバーの係合溝内の周壁面に適宜強さで弾発部を接触させてインジケーターを移動可能に所望箇所で停止保持できるようにしてあるので、外周カバーを外すことなく、所望の位置に、簡単にインジケーターを移動させて圧力表示板の所望の圧力値を指示させることができ、また、インジケーターが地震や他の振動等によって自然に動いてしまうといったことも防止できる。
【００１３】
また、請求項２に記載の本考案では、1対の対称形状のインジケーターを透明カバーの係合溝に摺動自在に設けてあるので、両インジケーターの指針部で所望の適正圧力範囲を簡単に指示させて設定することができる。
【００１４】
また、請求項３に記載の本考案では、円形状透明カバーの係合溝の内側の面に微細な凹凸を設けたことにより、透明カバーの係合溝に係合するインジケーターとの摩擦抵抗が大きくなって、インジケーターの自由な動きをより制限することができ、地震やその他の振動等の影響を、より受けなくすることができる。
【考案を実施するための最良の形態】
【００１５】
以下、本考案を実施するための最良の形態を図に基いて説明する。
図１は本考案にかかる圧力表示機構を備えた圧力計の拡大斜視図、図２は図１の圧力計の正面図、図３は図１の圧力計における本考案にかかるインジケーターの配置の説明図、図４は本考案にかかる圧力表示機構の要部を示す拡大した断面図、図５は図１の圧力計のレンズの拡大した平面図、図６は図５のレンズの中央断面図、図７は一対の内の一方のインジケーターの斜視図、図８は図７のインジケーターの他の角度から見た斜視図、図９は
一対の内の他方のインジケーターの斜視図、図１０は図９のインジケーターの他の角度から見た斜視図、図１１は透明カバーの係合溝の内周壁面に形成した微細な凹凸を示す拡大した部分断面図、図１２（ａ）は弾発部１７の長さが短いインジケーターの平面図、図１２（ｂ）は弾発部１７の形状が平面視台形のインジケーターの平面図、図１２（ｃ）は弾発部１７の厚さが他の例よりも厚いインジケーターの平面図である。
【００１６】
図１および図２に示す一例の圧力計１は、本考案にかかる圧力表示機構、すなわち、圧力計本体２内に設けた圧力表示板３の所望の圧力値を指示するインジケーター４と、圧力表示板３の前方に設けた円形状透明カバー５(以下、透明カバー５という)と、インジケーター４を透明カバー５の外周に沿って移動可能にかつ上記透明カバー５から外れないように保持する外周カバー７とからなる圧力表示機構６を備えている。
【００１７】
先に上記透明カバー５（図５、図６参照）について説明すると、透明カバー５は合成樹脂製またはガラス製であって、平面視円形状で外周縁近傍に沿って環状の係合溝８が形成してあり、係合溝８で囲まれる表面部分は円形平坦面１０に形成してあり、この円形平坦面１０の裏側は截頭円錐形状の窪み部１１に形成してあり、さらに係合溝８の外周の外側には上記円形平坦面１０より高い外側周壁１２を形成してある。また、係合溝８内の底面部９は平坦に形成してある。上記係合溝８は、円形平坦面１０と外側周壁１２との間に縦断面凹状に形成してあり、上記底面部９と共に両側の内周壁面１３並びに外周壁面１４は滑らかに形成してある。
【００１８】
次に上記インジケーター４（図３、図４、図７〜図１０参照）について説明すると、このインジケーター４は、透明カバー５の係合溝８に摺動自在に係合する係合部１５と、透明カバー５を介して上記圧力表示板３の所望の圧力値を指示する指針部１６と、透明カバー５の係合溝８内の外周壁面１４に適宜強さで接触してインジケーター４を移動可能に所望箇所で停止保持させるための所定長さの弾発部１７とを、合成樹脂によって一体形成したものである。
【００１９】
上記係合部１５（図４参照）は、透明カバー５の係合溝８の底面部９並びに両側の内周壁面１３および外周壁面１４に摺動自在に接触する形状であり、上部１８は上記外周カバー７の内側に曲げた上縁部７ａによって係合溝８から外れないように被うようにして指針部１６側に傾斜形成している。外周カバー７の上縁部７ａと係合部１５の上部１８との間には、インジケーター４が移動できるように僅かの隙間を有している。
【００２０】
上記指針部１６（図２、図３参照）は、図示のように圧力表示板３の所望の圧力値の箇所を正確に指示できるように少なくとも片縁側１９を直線状に形成した形状であり、後述する弾発部１７に対した略直角方向に係合部１５から突出形成してある。また、指針部１６の視認性及び識別性を向上させるために所望の色を表面側に着色してもよい。勿論、指針部１６の図示の形状は一例であり他の形状に設計変更するも自由である。
【００２１】
上記弾発部１７は、バネ性を有し、上記係合部１５を透明カバー５の係合溝８に係合した時に、先端部１７ａが外周壁面１４に接触して外周壁面１４を適宜強さ、すなわち、指で指針部１６を円周方向に押したり引いたりした時にインジケーター４を係合溝８に沿って容易に移動させることができ、かつ、所望の位置でインジケーター４を停止させた時には、その位置でインジケーター４を停止させた状態で保持できる強さ、で押圧できるものである。
【００２２】
また、上記した外周カバー７（図４参照）は、圧力計本体２の透明カバー５を設けた側に、圧力計本体２の前部外周縁２０と共に透明カバー５の外側周壁１２およびインジケーター４の指針部１６以外の部分を被うもので、圧力計本体２の前部外周縁２０に着脱可能に嵌め付けてある(図４においては外周カバー７と圧力計本体２との間に隙間があるが、実際は外周カバー７を圧力計本体２に嵌合している)。
【００２３】
なお、本考案にかかる圧力計の圧力表示機構は、インジケーター４を１つ備えて所望の圧力値を指示する構成のもの、または図示の例のように1対の対称形状のインジケーター４を備えたもの、或いは３つ以上のインジケーター４を備えたものでもある。
【００２４】
図示の1対の対称形状のインジケーター４（４ａ，４ｂ）を備えたものは、透明カバー５の係合溝８に対称に配して上記したように各インジケーター４の係合部１５を透明カバー５の係合溝８に摺動自在に設け、両インジケーター４（４ａ，４ｂ）の指針部１６で適正圧力範囲を表示できるようにしてある。
【００２５】
上記したような構成からなる圧力表示機構６を備えた圧力計１では、所定（または所望）の適正圧力範囲を表示する場合は、圧力計１の前方から、それぞれのインジケーター４（４ａ，４ｂ）の指針部１６に指の先を引っ掛けて円周方向に引いたり押したりして、透明カバー５の係合溝８に沿ってインジケーター４を移動させ、指針部１６の片縁側１９を圧力表示板３の所定（または所望）の圧力値の位置に合わせる。このようにして両インジケーター４（４ａ，４ｂ）の指針部１６の片縁側１９を所定の圧力値の位置に合わせことによって、両圧力値の示す範囲を適正圧力範囲または所望の圧力範囲とすることができる。
【００２６】
インジケーター４の移動操作は、上記した弾発部１７の作用によって係合溝８内の外周壁面１４を適宜強さで接触している状態から、この接触力に抗してインジケーター４を係合溝８に沿って摺動させて移動させる。インジケーター４の移動操作を止めれば再び上記弾発部１７の作用による外周壁面１４への適宜強さの接触によってその位置で確実に停止状態を保持する。そのため地震等の振動に対してもインジケーター４が停止位置から自然に動いてしまうといったことはない。
【００２７】
このように本考案にかかる圧力表示機構６を備えた圧力計１では、圧力値を指示させるインジケーター４の移動を、圧力計本体２に嵌着した外周カバー７を外すことなく、簡単に行うことができる。
【００２８】
なお、本考案は図示の例に限定されるものではなく、上記した本考案にかかる圧力表示機構６において、図１１に示すように透明カバー５の係合溝８の内側の面である内周壁面１３にシボ加工によって微細な凹凸２１を施してもよい。凹凸２１を施す箇所は、内周壁面１３の全周に亘って、或いは圧力表示板３の圧力値を表示してある箇所を指針部16で指示できる内周壁面１３の部分に施せばよい。この凹凸２１を施すことによりインジケーター４の勝手な動きをさらに制限することができる。上記の凹凸２１は内周壁面１３に当たるインジケーター４の部分に形成してもよい。さらに上記の凹凸２１は、透明カバー５の係合溝８の外周壁面１４および／または底面部９に形成してもよい。
【００２９】
また、本考案にかかる圧力表示機構６においては、要求により、３個以上の上記したインジケーター４を装着したものであってもよい。
【００３０】
また、本考案にかかる圧力表示機構６においては、透明カバー５の係合溝８の幅寸法を変更することにより、或いは図１２（ａ）に示すように弾発部１７の長さＬ（図示例は上記した例より短い）を変更または調整したり、図１２（ｂ）に示すように弾発部１７の形状（図示例は略台形または略三角形）を変更したり、図１２（ｃ）に示すように弾発部１７の厚さＷ（図示例は上記した例より厚い）を変更または調整したりすることにより、弾発部１７によるインジケーター４の外周壁面１４に対する接触力を自由に設定することができる。
【産業上の利用可能性】
【００３１】
この考案の圧力計の圧力表示機構は、種々の圧力計に備えることにより、圧力表示を必要とするあらゆる種類の装置や機械や工具等に使用することができる。
【図面の簡単な説明】
【００３２】
【図１】本考案にかかる圧力表示機構を備えた圧力計の拡大斜視図である。
【図２】図１の圧力計の正面図である。
【図３】図１の圧力計における本考案にかかるインジケーターの配置の説明図である。
【図４】本考案にかかる圧力表示機構の要部を示す拡大した断面図である。
【図５】図１の圧力計のレンズの拡大した平面図である。
【図６】図５のレンズの中央断面図である。
【図７】一対の内の一方のインジケーターの斜視図である。
【図８】図７のインジケーターの他の角度から見た斜視図である。
【図９】一対の内の他方のインジケーターの斜視図である。
【図１０】図９のインジケーターの他の角度から見た斜視図である。
【図１１】透明カバーの係合溝の内周壁面に形成した微細な凹凸を示す拡大した部分断面図である。
【図１２】本考案にかかる他の例のインジケーターであって、（ａ）は弾発部１７の長さが短いインジケーターの平面図、（ｂ）は弾発部１７の形状が平面視台形のインジケーターの平面図、（ｃ）は弾発部１７の厚さが他の例よりも厚いインジケーターの平面図である。
【符号の説明】
【００３３】
１    圧力計
２    圧力計本体
３    圧力表示板
４    インジケーター
５    円形状透明カバー
６    圧力表示機構
８    係合溝
１４  外周壁面
１５  係合部
１６  指針部
１７  弾発部
２１  凹凸
【図１】
0003120394.tif 000003
【図２】
0003120394.tif 000004
【図３】
0003120394.tif 000005
【図４】
0003120394.tif 000006
【図５】
0003120394.tif 000007
【図６】
0003120394.tif 000008
【図７】
0003120394.tif 000009
【図８】
0003120394.tif 000010
【図９】
0003120394.tif 000011
【図１０】
0003120394.tif 000012
【図１１】
0003120394.tif 000013
【図１２】
0003120394.tif 000014